(57)【要約】【課題】    不安定な凹凸を有する傾斜した床面であっても、多数の床束を安定よく水平  又は垂直に上部構造物を支持できる床束を提供する。【解決手段】    束の基台は束ボルトと球面と球面で荷重を支持する構造にて、束ボルトにたいして全方向に傾けることができる、又  基台と束ボルトは回り止めの構造が加工されており傾いた基礎・床に基台が対応した位置で、上部構造物の水平・垂直の取り合いの固定や調節が行なえる、と  同時に床の吸音や制振の効果を得ることも出来る束を提供できる。【選択図】図１
2010180683.tif 000002
【特許請求の範囲】
【請求項１】
ネジ構造で高さ調節を行なう床束であって、床側束ボルト基台の束構造である。
基台は束ボルト端部球面を球面で荷重を支持する構造になっている、これにより基台は束ボルトに対して、全方向に傾くことが可能である、  又  束ボルトと基台には回り止め機構が加工されている、以上により基台が床面に傾いた状態に設置されている場合においても床束の調節用ターンバックルや筒状ナットを回し、これにより上部構造物を安定よく水平・垂直に調節することが出来る床束の束構造である。
【請求項２】
束ボルトは頭部が半球形状に成形され、その首下部分は多角形の棒状にネジ径より大きく、半球部分の径より小さな多角柱に成形されている、又  基台部は、中央部に束ボルトに成形の多角形より少し大きい同一形状の孔を持つ、束ボルト頭部を収納封しする凸出部が成形されている、凸出部に束ボルトを挿入し、球面を支持する凹球面を持った球面受け金物でもって、凸出部内に適切な空間を持つように、封し固定する、これにより基台部と束ボルトは  束ボルトは回動せずに揺動が可能な結合部になり、不規則な床面に対応できる請求項１に用いられる床束の束の構造。
【請求項３】
前記束ボルト基台において、束ボルト半球部の球面と、基台内球面受け金物との球面間に弾性体を挿入し、床束にかかる荷重のポイント面に弾性体を介在させることにより、上部構造物にて発生伝達される、音・振動等の吸収や制振作用を得ることが出来る束構造であって、基台部と束ボルト間に弾性体が設けられていることを特徴とする  １  に記載の束の構造。
【発明の詳細な説明】
【技術分野】
【０００１】    本発明は不安定な、傾斜のある床面であっても、容易に安定な施工が出来る床束を提供する。
【背景技術】
【０００２】    床下基礎と大引・床パネル等との間に介設される床束として、従来より図５に示すような金属製床束が提供されている、しかし床下基礎面が凹凸面や傾斜がある場合には基礎面にしたがって床束基台も傾斜した状態で設置される、これでは上部構造物に隙間や段差が生じてしまう。  図６。【０００３】    従来の床束にも傾斜した基礎に対応を施した束の構造も考案されている（例えば、特許文献１参照。）。
基台は束本体部に対して傾き可能であるが、基礎面の傾きに基台を合わせて束ボルトとともに、固定する操作が必要である。
【特許文献１】    特開２００６−９７３９１  広報
【発明の開示】
【発明が解決しようとする課題】
【０００４】    本発明は上記のような、不安定な凹凸を有する床面にも、多数の床束を安定よく設置し、上部構造物を作業性よく、安定に施工可能な床束に用いられる、束の構造を実現することを課題とするものである。
【課題を解決するための手段】
【０００５】    本発明は上記課題を達成するために、床束下側に束ボルト基台が備えられた床束に用いられる束の構造であって、基台は束ボルト端部球面を球面にて荷重を支持する構造であり、これにより束ボルトに対して基台は全方向に傾けることが出来る。【０００６】    束ボルトと基台には回り止め機構が加工されて居り、これなどの作用のため基台が床面に傾いた状態に設置されている場合においても、床束の調節用ターンバックルや筒状ナットを回し、これにより上部構造物を安定よく水平・垂直に調節することができる、以上述べた床束の束の構造を提供することにより解決される。【０００７】    この束構造は、図２．の部品構成図による如く、束ボルトは頭部が半球形状に成形され、その首下部分は多角形の棒状にネジ径より大きく、半球部分の径より小さな多角柱に成形されている。【０００８】    基台部は、中央部に上記束ボルトに成形の多角形より少し大きい同一形状の孔を持つ、束ボルト頭部を収納できる凸出部が成形されている。【０００９】    基台の凸出部に束ボルトを挿入し、それに束ボルトの球面を支持する凹球面を持つ球面受け金物でもって、凸出部内に適切な空間を持つように、球面受け金物を圧入・カシメ加工等にて封し固定する。【００１０】    これにより基台部は、束ボルトを軸心にして全方向に傾くことが可能であり、束ボルトは首下の多角柱形と基台部の多角形孔とのかみ合わせのために回動しない、。【００１１】    本発明の束構造は以上の通りのものであり、床束の床面への設置は、床面に傾きがあると、その傾きに対応して基台が傾くために、基台と床面との間に隙間ができず安定した床束の設置が行なえる。【００１２】    床束が床面に設置されると同時に上部構造物との水平の取り合いや、固定・調節が容易である、特に高層建造物において、パネル組低床式の場合に、床束を接着剤施工の場合には施工の容易さで作業性に効果が得られるものである。【００１３】    又、本発明の束構造では、束ボルト半球面と基台球面受け金物との間に容易に弾性体を挿入することができる、床束にかかる荷重の床面にちかいポイント面に弾性体を介在させることにより、上部構造物より発生伝達される、音・振動  等の吸収・制振の効果を床束に加味させることが可能である。
【発明の効果】
【００１４】    上述したように、本発明の床束の束構造は、以上のとおりのものであり、設置する床面の形状にかかわらず、安定した施工が簡便におこなえる、又、構成部品が少なく、製造コストの面からも効果の大きな束構造である。
【発明を実施するための最良の形態】
【００１５】    以下  本発明の実施形態を図面に基ずいて説明する。【００１６】    図１．図２．においては、実施形態１を示す、１は束ボルトであって、半球部１ａと多角形柱状部１ｂが成形され、本実施形態の束ボルトの形態をなしている、図中  多角形柱状部１ｂは六角形を示すが、これに限られるものではない。【００１７】    基台側は、基台２の中央部に凸出部２ａを成形し、その中央に多角形孔２ｂを設けられてある、【００１８】    束は基台２の凸出部２ａに束ボルト１を挿入し、球面受け金物３を圧入することにより、封し固定される、空間部５は束ボルト１の揺動作用に必要な隙間である。【００１９】    図３．図４．においては、実施形態２を示す、弾性体４を加工の工程に追加することで、請求項３による束の構造をしめす。
【図面の簡単な説明】
【００２０】
【図１】実施形態１を示す束ボルト基台の上面図  Ａ−Ａ線断面図
【図２】実施形態１の構成部品図
【図３】実施形態２を示す束ボルト基台半断面図
【図４】実施形態２の構成部品図
【図５】従来の金属製床束
【図６】従来の金属製床束の床面傾斜時の取り合い
【符号の説明】
【００２１】１      束ボルト
１ａ    半球形部
１ｂ    多角形柱状部
２      基台
２ａ    凸出部
２ｂ    多角形孔
３      球面受け金物
４      弾性体
【図１】
2010180683.tif 000003
【図２】
2010180683.tif 000004
【図３】
2010180683.tif 000005
【図４】
2010180683.tif 000006
【図５】
2010180683.tif 000007
【図６】
2010180683.tif 000008